(57)【要約】【課題】単純な構成で、複数の意匠を効果的に表示することができる表示装置および入力装置を提供する。【解決手段】光源１６１〜１６４と、光源１６１により発光された光を導光する導光体１１３と、を備える表示装置であって、導光体１１３は、光源１６１に対向して配置される入光面３１１を有し、入光面から入光された光源１６１の光を導光する導光脚部３１０と、導光脚部３１０と屈曲した形状で接続される板状の出射部３５０であって、導光脚部３１０により導光された光の一部を前方に反射する反射意匠１４１と、上記光の他の一部を前方に反射する反射意匠１４２とが配置された出射部３５０と、を有し、反射意匠１４１は、前方から見て出射部３５０の導光脚部３１０と接続されている接続部分３１４の方向Ｄ１２側の領域３５１に配置され、反射意匠１４２は、前方から見て接続部分３１４から方向Ｄ１３側の領域３５２に配置されている。【選択図】図６
2019086568.tif 000002
【特許請求の範囲】
【請求項１】
第１導光光源を含む導光光源と、前記導光光源により発光された第１光を導光する導光体と、を備える表示装置であって、
前記導光体は、
前記第１導光光源に対向して配置される第１入光面を有し、前記第１入光面から入光された前記第１導光光源の前記第１光を導光する第１導光脚部と、
前記第１導光脚部と屈曲した形状で接続される板状の出射部であって、前記第１導光脚部により導光された前記第１光の一部を第１方向に反射する第１反射意匠と、前記第１光の他の一部を前記第１方向に反射する第２反射意匠とが配置された出射部と、を有し、
前記第１反射意匠は、前記第１方向から見て前記出射部の前記第１導光脚部と接続されている第１接続部分の第２方向の一方側の第１領域に配置され、
前記第２反射意匠は、前記第１方向から見て前記第１接続部分から前記第２方向とは異なる第３方向の一方側の第２領域に配置されている
表示装置。
【請求項２】
前記出射部には、前記第１領域と、前記第２領域との間に開口が配置されている
請求項１に記載の表示装置。
【請求項３】
前記第１導光脚部は、
前記第１方向から見て前記第２方向に交差する第１反射面を有し、前記第１入光面から入光された前記第１光の一部を前記第１反射面に反射させることで、前記出射部の前記第１領域に導く第１部分と、
前記第１方向から見て前記第３方向に交差する第２反射面を有し、前記第１入光面から入光された前記第１光の他の一部を前記第２反射面に反射させることで、前記出射部の前記第２領域に導く第２部分と、を有する
請求項１または２に記載の表示装置。
【請求項４】
前記第１反射面は、前記第３方向において前記第２反射面の前記第２反射意匠側とは反対側に配置され、
前記第２反射面は、前記第２方向において前記第１反射面の前記第１反射意匠側とは反対側に配置されている
請求項３に記載の表示装置。
【請求項５】
前記導光光源は、さらに、第２導光光源を含み、
前記導光体は、さらに、
前記出射部の前記第１領域を挟んで前記第１導光脚部とは反対側において屈曲した形状で接続されている第２導光脚部を有し、
前記第２導光脚部は、前記第２導光光源に対向して配置される第２入光面を有し、前記第２入光面から入光された前記第２導光光源の第２光を前記出射部の前記第１領域に導光する
請求項１から４のいずれか１項に記載の表示装置。
【請求項６】
環状に並んで配置されるｎ個の導光光源と、前記ｎ個の導光光源により発光された光を導光する導光体と、を備える表示装置であって、
前記導光体は、
前記ｎ個の導光光源に対向して配置されるｎ個の入光面を有するｎ個の導光脚部であって、それぞれが前記ｎ個の入光面のそれぞれから入光された光を導光するｎ個の導光脚部と、
前記ｎ個の導光脚部のそれぞれと屈曲した形状で接続される板状の出射部であって、前記ｎ個の導光脚部により導光された光を第１方向に反射するｎ個の反射意匠のそれぞれが、前記ｎ個の導光脚部が接続されているｎ個の接続部分のそれぞれと交互に環状に並んで配置されている出射部とを有し、
前記ｎ個の導光脚部のそれぞれは、
前記ｎ個の導光光源のうちの対応する１つの導光光源により発光された光の一部を、対応する接続部分に隣り合う２つの反射意匠の一方の反射意匠に反射する第１反射面と、前記光の他の一部を、他方の反射意匠に反射する第２反射面とを有し、
前記出射部の前記ｎ個の反射意匠のそれぞれは、隣り合う２つの接続部分の一方の接続部分に対応する導光脚部の前記第１反射面により反射された光と、他方の接続部分に対応する導光脚部の前記第２反射面により反射された光とを前記第１方向に反射する
表示装置。
【請求項７】
前記出射部には、前記ｎ個の反射意匠が並ぶ環状の内方に開口が配置されている
請求項６に記載の表示装置。
【請求項８】
さらに、
前記出射部に対向しており、透光意匠の形状の透光部分で光を透光し、かつ、前記透光部分を除く遮光部分で光を遮光するマスク体と、
前記マスク体に向けて前記第１方向の反対側から光を照射する直接光源と、
前記導光光源と前記直接光源とを選択的に発光させる制御回路と、を備える
請求項１から７のいずれか１項に記載の表示装置。
【請求項９】
前記出射部に配置されている反射意匠と、前記マスク体に配置されている透光意匠とは、重なって配置されている
請求項８に記載の表示装置。
【請求項１０】
請求項１から８のいずれか１項に記載の表示装置と、
前記導光体に配置されている反射意匠またはマスク体に配置されている透光意匠への押圧に応じて信号を出力するスイッチと、を備える
入力装置。
【請求項１１】
前記反射意匠と前記透光意匠とは、いずれかが選択的に表示され、
前記スイッチは、表示されている意匠が前記反射意匠であるかまたは前記透光意匠であるかに応じて異なる信号を出力する
請求項１０に記載の入力装置。
【請求項１２】
前記入力装置は、さらに、前記反射意匠と前記透光意匠とのいずれかを選択的に表示させる制御回路を備え、
前記制御回路は、表示させている意匠が前記反射意匠であるか、または前記透光意匠であるかに応じて、押圧により前記スイッチから出力される信号を異なる入力として受け付ける
請求項１０に記載の入力装置。
【発明の詳細な説明】
【技術分野】
【０００１】
本発明は、表示装置および入力装置に関する。
【背景技術】
【０００２】
特許文献１には、導光体によって光源からの光を導光し、所定の意匠を表示させるプッシュスイッチが開示されている。
【先行技術文献】
【特許文献】
【０００３】
【特許文献１】特開２０１２−１１３００１号公報
【発明の概要】
【発明が解決しようとする課題】
【０００４】
しかしながら、特許文献１の技術では、導光体によって光源からの光を導光し、所定の意匠を表示させる表示装置において、所定の意匠が複数の場合に、効果的に複数の意匠を表示させることが難しいという課題がある。
【０００５】
そこで、本発明は、単純な構成で、複数の意匠を効果的に表示することができる表示装置および入力装置を提供する。
【課題を解決するための手段】
【０００６】
本発明の一態様に係る表示装置は、第１導光光源を含む導光光源と、前記導光光源により発光された第１光を導光する導光体と、を備える表示装置であって、前記導光体は、前記第１導光光源に対向して配置される第１入光面を有し、前記第１入光面から入光された前記第１導光光源の前記第１光を導光する第１導光脚部と、前記第１導光脚部と屈曲した形状で接続される板状の出射部であって、前記第１導光脚部により導光された前記第１光の一部を第１方向に反射する第１反射意匠と、前記第１光の他の一部を前記第１方向に反射する第２反射意匠とが配置された出射部と、を有し、前記第１反射意匠は、前記第１方向から見て前記出射部の前記第１導光脚部と接続されている第１接続部分の第２方向の一方側の第１領域に配置され、前記第２反射意匠は、前記第１方向から見て前記第１接続部分から前記第２方向とは異なる第３方向の一方側の第２領域に配置されている。
【０００７】
本発明の一態様に係る表示装置は、環状に並んで配置されるｎ個の導光光源と、前記ｎ個の導光光源により発光された光を導光する導光体と、を備える表示装置であって、前記導光体は、前記ｎ個の導光光源に対向して配置されるｎ個の入光面を有するｎ個の導光脚部であって、それぞれが前記ｎ個の入光面のそれぞれから入光された光を導光するｎ個の導光脚部と、前記ｎ個の導光脚部のそれぞれと屈曲した形状で接続される板状の出射部であって、前記ｎ個の導光脚部により導光された光を第１方向に反射するｎ個の反射意匠のそれぞれが、前記ｎ個の導光脚部が接続されているｎ個の接続部分のそれぞれと交互に環状に並んで配置されている出射部とを有し、前記ｎ個の導光脚部のそれぞれは、前記ｎ個の導光光源のうちの対応する１つの導光光源により発光された光の一部を、対応する接続部分に隣り合う２つの反射意匠の一方の反射意匠に反射する第１反射面と、前記光の他の一部を、他方の反射意匠に反射する第２反射面とを有し、前記出射部の前記ｎ個の反射意匠のそれぞれは、隣り合う２つの接続部分の一方の接続部分に対応する導光脚部の前記第１反射面により反射された光と、他方の接続部分に対応する導光脚部の前記第２反射面により反射された光とを前記第１方向に反射する。
【０００８】
本発明の一態様に係る入力装置は、上記の表示装置と、前記導光体に配置されている前記反射意匠またはマスク体に配置されている透光意匠への押圧に応じて信号を出力するスイッチと、を備える。
【発明の効果】
【０００９】
本発明の表示装置などでは、単純な構成で、複数の意匠を効果的に表示することができる。
【図面の簡単な説明】
【００１０】
【図１】図１は、実施の形態に係るステアリング入力装置が配置された車両の車室の一例を示す図である。
【図２】図２は、実施の形態に係るステアリング入力装置の使用例を示す図である。
【図３】図３は、実施の形態に係る入力装置の外観斜視図である。
【図４】図４は、実施の形態に係る入力装置の分解斜視図である。
【図５】図５は、実施の形態に係るマスク体の平面図である。
【図６】図６は、導光体の外観斜視図である。
【図７】図７は、導光体をＺ軸方向プラス側から見た正面図である。
【図８】図８は、導光体１１３をＸ軸方向プラス側から見た側面図である。
【図９】図９は、導光体１１３をＹ軸方向プラス側から見た側面図である。
【図１０】図１０は、入力装置１００の回路構成の一例を示すブロック図である。
【発明を実施するための形態】
【００１１】
本発明の一態様に係る表示装置は、第１導光光源を含む導光光源と、前記導光光源により発光された第１光を導光する導光体と、を備える表示装置であって、前記導光体は、前記第１導光光源に対向して配置される第１入光面を有し、前記第１入光面から入光された前記第１導光光源の前記第１光を導光する第１導光脚部と、前記第１導光脚部と屈曲した形状で接続される板状の出射部であって、前記第１導光脚部により導光された前記第１光の一部を第１方向に反射する第１反射意匠と、前記第１光の他の一部を前記第１方向に反射する第２反射意匠とが配置された出射部と、を有し、前記第１反射意匠は、前記第１方向から見て前記出射部の前記第１導光脚部と接続されている第１接続部分の第２方向の一方側の第１領域に配置され、前記第２反射意匠は、前記第１方向から見て前記第１接続部分から前記第２方向とは異なる第３方向の一方側の第２領域に配置されている。
【００１２】
これによれば、第１導光脚部により、出射部の異なる位置に配置されている第１反射意匠および第２反射意匠のそれぞれに第１導光光源の光を導くことができる。つまり、第１導光脚部は、第１導光光源の光を２つに分けて、２つに分けた光を第１反射意匠および第２反射意匠のそれぞれに導くため、複数の反射意匠を効果的に表示することができる。よって、複数の反射意匠を表示するのに要する消費エネルギーを低減できる。また、単純な構成で、複数の意匠を効果的に表示することができる。
【００１３】
また、前記出射部には、前記第１領域と、前記第２領域との間に開口が配置されていてもよい。
【００１４】
このため、第１領域の第２領域側には、反射面が形成されており、かつ、第２領域の第１領域側には、反射面が形成されている。よって、第１領域への光、及び、第２領域への光を効率よく導くことができる。また、さまざまな角度から反射意匠へ光を導くことができるため、表示ムラを低減できる。
【００１５】
また、前記第１導光脚部は、前記第１方向から見て前記第２方向に交差する第１反射面を有し、前記第１入光面から入光された前記第１光の一部を前記第１反射面に反射させることで、前記出射部の前記第１領域に導く第１部分と、前記第１方向から見て前記第３方向に交差する第２反射面を有し、前記第１入光面から入光された前記第１光の他の一部を前記第２反射面に反射させることで、前記出射部の前記第２領域に導く第２部分と、を有してもよい。
【００１６】
このため、第１導光脚部は、第１導光光源の光を第１部分および第２部分のそれぞれに分けて、２つに分けた光を第１反射意匠および第２反射意匠のそれぞれに導くため、複数の反射意匠を効果的に表示することができる。よって、複数の反射意匠を表示するのに要する消費エネルギーを低減できる。
【００１７】
また、前記第１反射面は、前記第３方向において前記第２反射面の前記第２反射意匠側とは反対側に配置され、前記第２反射面は、前記第２方向において前記第１反射面の前記第１反射意匠側とは反対側に配置されていてもよい。
【００１８】
このため、第１反射意匠へ導く光の光路と、第２反射意匠へ導く光の光路とをそれぞれ独立した光路とすることができる。よって、それぞれの光路において導光効率のよい形状の光路を形成することが容易にでき、第１反射意匠および第２反射意匠を効果的に表示することができる。
【００１９】
また、前記導光光源は、さらに、第２導光光源を含み、前記導光体は、さらに、前記出射部の前記第１領域を挟んで前記第１導光脚部とは反対側において屈曲した形状で接続されている第２導光脚部を有し、前記第２導光脚部は、前記第２導光光源に対向して配置される第２入光面を有し、前記第２入光面から入光された前記第２導光光源の第２光を前記出射部の前記第１領域に導光してもよい。
【００２０】
このため、１つの反射意匠に対して２つの方向から光を導くことができるため、反射意匠の表示ムラを低減することができる。
【００２１】
また、本発明の一態様に係る表示装置は、環状に並んで配置されるｎ個の導光光源と、前記ｎ個の導光光源により発光された光を導光する導光体と、を備える表示装置であって、前記導光体は、前記ｎ個の導光光源に対向して配置されるｎ個の入光面を有するｎ個の導光脚部であって、それぞれが前記ｎ個の入光面のそれぞれから入光された光を導光するｎ個の導光脚部と、前記ｎ個の導光脚部のそれぞれと屈曲した形状で接続される板状の出射部であって、前記ｎ個の導光脚部により導光された光を第１方向に反射するｎ個の反射意匠のそれぞれが、前記ｎ個の導光脚部が接続されているｎ個の接続部分のそれぞれと交互に環状に並んで配置されている出射部とを有し、前記ｎ個の導光脚部のそれぞれは、前記ｎ個の導光光源のうちの対応する１つの導光光源により発光された光の一部を、対応する接続部分に隣り合う２つの反射意匠の一方の反射意匠に反射する第１反射面と、前記光の他の一部を、他方の反射意匠に反射する第２反射面とを有し、前記出射部の前記ｎ個の反射意匠のそれぞれは、隣り合う２つの接続部分の一方の接続部分に対応する導光脚部の前記第１反射面により反射された光と、他方の接続部分に対応する導光脚部の前記第２反射面により反射された光とを前記第１方向に反射する。
【００２２】
このため、複数の反射意匠のそれぞれに対して２つの方向から光を導くことができ、光源を反射意匠の数と同じ数とすることができる。よって、反射意匠の表示ムラを低減でき、かつ、消費エネルギーを低減できる。
【００２３】
また、前記出射部には、前記ｎ個の反射意匠が並ぶ環状の内方に開口が配置されていてもよい。
【００２４】
このため、ｎ個の反射意匠のそれぞれに光を反射する反射面を形成することができる。よって、ｎ個の反射意匠のそれぞれに効率よく光を導くことができる。また、さまざまな角度からｎ個の反射意匠のそれぞれへ光を導くことができるため、表示ムラを低減できる。
【００２５】
また、さらに、前記出射部に対向しており、透光意匠の形状の透光部分で光を透光し、かつ、前記透光部分を除く遮光部分で光を遮光するマスク体と、前記マスク体に向けて前記第１方向の反対側から光を照射する直接光源と、前記導光光源と前記直接光源とを選択的に発光させる制御回路と、を備えてもよい。
【００２６】
このため、反射意匠と、反射意匠とは異なる透光意匠とを選択的に切り替えて表示することが容易にできる。
【００２７】
また、前記出射部に配置されている反射意匠と、前記マスク体に配置されている透光意匠とは、重なって配置されていてもよい。
【００２８】
このため、複数の異なる意匠を表示させる構成をコンパクトな構成で実現することができる。
【００２９】
また、本発明の一態様に係る入力装置は、上記の表示装置と、前記導光体に配置されている前記反射意匠またはマスク体に配置されている透光意匠への押圧に応じて信号を出力するスイッチと、を備える。
【００３０】
このため、意匠により示される入力を受け付けるための入力装置として実現することができる。
【００３１】
また、前記反射意匠と前記透光意匠とは、いずれかが選択的に表示され、前記スイッチは、表示されている意匠が前記反射意匠であるかまたは前記透光意匠であるかに応じて異なる信号を出力してもよい。
【００３２】
このため、異なる意匠が選択的に表示されている場合、表示されている意匠に対応する信号を出力することができる。つまり、１つのスイッチの機能を切り替えることができるため、構成をコンパクトにすることができる。
【００３３】
また、前記入力装置は、さらに、前記反射意匠と前記透光意匠とのいずれかを選択的に表示させる前記制御回路を備え、前記制御回路は、表示させている意匠が前記反射意匠であるか、または前記透光意匠であるかに応じて、押圧により前記スイッチから出力される信号を異なる入力として受け付けてもよい。
【００３４】
このため、異なる意匠が選択的に表示されている場合、表示されている意匠に対応する信号を出力することができる。つまり、１つのスイッチの機能を切り替えることができるため、構成をコンパクトにすることができる。
【００３５】
（実施の形態）
［１−１．ステアリング入力装置の構成］
まず、図１及び図２を参照しながら、実施の形態に係るステアリング入力装置２の構成について説明する。図１は、実施の形態に係るステアリング入力装置２が配置された車両の車室の一例を示す図である。図２は、実施の形態に係るステアリング入力装置２の使用例を示す図である。
【００３６】
図１に示す自動車４（車両の一例）の車室には、ステアリング入力装置２及び車載機器６が搭載されている。実施の形態に係るステアリング入力装置２は、ステアリングホイール８及び入力装置１００を備えている。
【００３７】
ステアリングホイール８は、自動車４を操舵するためのものである。ステアリングホイール８は、リング形状を有するリム１２と、リム１２の内周面に一体的に形成された略Ｔ字状のスポーク１４と、スポーク１４の中央部に配置されたホーンスイッチ（図示せず）を覆うホーンスイッチカバー１６とを有している。
【００３８】
入力装置１００は、車載機器６を操作するためのものであり、例えばステアリングホイール８のスポーク１４に配置されている。図２に示すように、ユーザである運転者は、リム１２を握っている右手の指１８（操作物体の一例）で入力装置１００に対して入力を行うことにより、車載機器６を操作することができる。入力装置１００の構成については後で詳述する。
【００３９】
車載機器６は、例えばコンパクトディスク等の光ディスクを再生するためのオーディオ機器である。車載機器６は、例えばダッシュボード２０内に配置されている。車載機器６の構成については後で詳述する。
【００４０】
［１−２．入力装置の構成］
次に、図３〜図５を参照しながら、実施の形態に係る入力装置１００の構成について説明する。図３は、実施の形態に係る入力装置１００の外観斜視図である。図４は、実施の形態に係る入力装置１００の分解斜視図である。図５は、実施の形態に係るマスク体１１４の平面図である。
【００４１】
図３および図４に示すように、実施の形態に係る入力装置１００は、筐体１１１と、第１操作部１１２と、導光体１１３と、マスク体１１４と、第１支持部１１５と、軸体１１６と、第２操作部１１７と、第２支持部１１８と、基板１１９とを備える。
【００４２】
筐体１１１は、入力装置１００の前面側（Ｚ軸方向プラス側）を覆う部材である。
【００４３】
第１操作部１１２は、運転者により操作されることにより、背面側（Ｚ軸方向マイナス側）に設けられる基板１１９に実装されている４つのスイッチ１５１〜１５４のいずれか１つを選択的に押圧する部材である。第１操作部１１２は、第１支持部１１５、軸体１１６及び第２支持部１１８により２軸で揺動可能に支持されている。具体的には、第１操作部１１２は、Ｘ軸方向及びＹ軸方向に平行な方向を軸として揺動可能に支持されている。
【００４４】
例えば、第１操作部１１２のＹ軸方向マイナス側の部位１２５が運転者によって押された場合に、当該部位１２５が軸体１１６のＸ軸方向に平行な第１軸ＡＸ１を中心に揺動し、基板１１９の当該部位１２５に対応する位置に配置されているスイッチ１５１を押圧する。また、第１操作部１１２は、第１操作部１１２のＸ軸方向プラス側の部位１２６が運転者によって押された場合に、当該部位１２６が軸体１１６のＹ軸方向に平行な第２軸ＡＸ２を中心に揺動し、基板１１９の当該部位１２６に対応する位置に配置されているスイッチ１５２を押圧する。なお、同様に、第１操作部１１２のＹ軸方向プラス側の部位１２７が押された場合は、当該部位１２７に対応する位置に配置されているスイッチ１５３を押圧し、第１操作部１１２のＸ軸方向マイナス側の部位１２８が押圧された場合は、当該部位１２８に対応する位置に配置されているスイッチ１５４を押圧する。
【００４５】
導光体１１３は、基板１１９に実装されている光源１６１〜１６４から発光された光を、スイッチ１５１〜１５４からスイッチ１５１〜１５４の押圧方向（Ｚ軸方向マイナス側）とは反対方向（Ｚ軸方向プラス側）に向けて光を導く。導光体１１３は、具体的には、基板１１９の前側（Ｚ軸方向プラス側）に設けられている。導光体１１３は、透明な材料により構成されており、例えば、アクリル樹脂や、ポリカーボネート樹脂等により構成される。導光体１１３の具体的な構成については後述する。
【００４６】
導光体１１３は、光源１６１〜１６４から発光された光を、第１操作部１１２の４つの部位１２５〜１２８のそれぞれに対応する４つの位置に形成されている４つの反射意匠１４１〜１４４（後述参照）においてＺ軸方向プラス側に光を反射する。つまり、入力装置１００の第１操作部１１２の４つの部位１２５〜１２８のそれぞれには、光源１６１〜１６４が発光している場合、４つの反射意匠１４１〜１４４が表示される。
【００４７】
マスク体１１４は、図５に示すように、略矩形板状の複数のマスク部材４０１〜４０４である。複数のマスク部材４０１〜４０４は、それぞれ、基板１１９に実装されている光源１７１〜１７４から発光された光を、透光意匠４１１〜４１４の形状の透光部分（図の白抜き部分）でＺ軸方向プラス側に透過し、かつ、透光部分を除く遮光部分（図のドットパターン部分）で光を遮光する。これにより、入力装置１００の第１操作部１１２の４つの部位１２５〜１２８のそれぞれには、光源１７１〜１７４が発光している場合、４つの透光意匠４１１〜４１４が表示される。
【００４８】
第１支持部１１５は、第１操作部１１２及び導光体１１３を支持する部材である。また、第１支持部１１５は、軸体１１６を第２軸ＡＸ２で揺動可能に支持している。
【００４９】
第２支持部１１８は、第２操作部１１７を支持する部材である。また、第２支持部１１８は、軸体１１６を第１軸ＡＸ１で揺動可能に支持している。
【００５０】
第１支持部１１５と第２支持部１１８とは互いに干渉しないように配置されている。このため、第１支持部１１５は、第２支持部１１８に対して軸体１１６を介することで、２軸に揺動することができる。よって、第１操作部１１２は、第２支持部１１８に対して２軸に揺動することができる。
【００５１】
第２操作部１１７は、第２支持部１１８に対してＺ軸方向にスライド可能に支持されており、Ｚ軸方向マイナス側に押された場合、基板１１９の中央に配置されるスイッチ１５５を押圧する。このような構成とすることにより、例えば、第１操作部１１２により４方向操作を行ってメニュー選択を行い、第２操作部１１７により選択した内容を決定するという機能を実現することができる。
【００５２】
第１支持部１１５、軸体１１６、第２操作部１１７及び第２支持部１１８は、例えば、不透明な樹脂により構成されている。
【００５３】
基板１１９は、複数のスイッチ１５１〜１５５と、導光光源としての複数の光源１６１〜１６５と、直接光源としての複数の光源１７１〜１７５とを有する配線基板である。複数のスイッチ１５１〜１５５及び複数の光源１６１〜１６５、１７１〜１７５は、基板１１９の前面側（Ｚ軸方向プラス側）の主面に実装されている。このため、簡単な構成で、複数のスイッチ１５１〜１５５と、複数の光源１６１〜１６５、１７１〜１７５とを配置することができる。なお、基板１１９は、さらに、制御回路２１０を有していてもよい。
【００５４】
複数のスイッチ１５１〜１５５のそれぞれは、押圧されることによりオンオフを切り替えるスイッチである。具体的には、複数のスイッチ１５１〜１５５のそれぞれは、押圧されることにより、予め設定されている機能のオンオフを切り替えるスイッチである。
【００５５】
複数（ｎ個：本実施の形態では４個）の光源１６１〜１６４は、それぞれ、導光体１１３の後述するｎ個（本実施の形態では４個）の導光脚部３１０、３２０、３３０、３４０に対応して配置される。４個の光源１６１〜１６４は、環状に並んで配置される。同様に、光源１６５は、第２操作部１１７に光を導く、図示しない導光体に対応して配置され、光源１７５は、第２操作部１１７に対向して配置される図示しないマスク体に対応して配置される。複数の光源１６１〜１６５、１７１〜１７５のそれぞれは、例えば、ＬＥＤ（Ｌｉｇｈｔ  Ｅｍｉｔｔｉｎｇ  Ｄｉｏｄｅ）により構成されている。
【００５６】
また、複数のスイッチ１５１〜１５５は、基板１１９の主面（つまり前面）の互いに異なる位置に配置されている。同様に、複数の光源１６１〜１６５、１７１〜１７５は、基板１１９の主面の互いに異なる位置に配置されている。
【００５７】
なお、第１操作部１１２は、透光性を有する材料により構成されており、例えば、樹脂により構成されている。第１操作部１１２は、スモークに着色されていることが好ましい。これにより、基板１１９に実装されている光源１６１〜１６４または光源１７１〜１７４が発光している場合には、導光体１１３に形成されている反射意匠１４１〜１４４が発光している光または透光意匠４１１〜４１４が透過している光をＺ軸方向プラス側に出射させることができ、当該光源１６１〜１６５または当該光源１７１〜１７４が発光していない場合には、内部の部品が運転者によって視認される可能性を低減させることができる。
【００５８】
［１−３．導光体の構成］
次に、図６〜図９を参照しながら、実施の形態に係る導光体１１３の構成について説明する。図６は、導光体１１３の外観斜視図である。図７は、導光体１１３をＺ軸方向プラス側から見た正面図である。図８は、導光体１１３をＸ軸方向プラス側から見た側面図である。図９は、導光体１１３をＹ軸方向プラス側から見た側面図である。
【００５９】
導光体１１３は、ｎ個（本実施の形態では４個）の導光脚部３１０、３２０、３３０、３４０と、出射部３５０とを有する。
【００６０】
導光脚部３１０は、光源１６１に対向して配置される入光面３１１を有し、入光面３１１から入光された光源１６１の光を導光する。同様に、導光脚部３２０は、光源１６２に対向して配置される入光面３２１を有し、入光面３２１から入光された光源１６２の光を導光する。同様に、導光脚部３３０は、光源１６３に対向して配置される入光面３３１を有し、入光面３３１から入光された光源１６３の光を導光する。同様に、導光脚部３４０は、光源１６４に対向して配置される入光面３４１を有し、入光面３４１から入光された光源１６４の光を導光する。つまり、４個の導光脚部３１０、３２０、３３０、３４０は、４個の光源１６１〜１６４に対向して配置される４個の入光面３１１、３２１、３３１、３４１を有し、それぞれが４個の入光面のそれぞれから入光された光を導光する。
【００６１】
出射部３５０は、４個の導光脚部３１０、３２０、３３０、３４０のそれぞれと屈曲した形状で接続される板状の部材である。出射部３５０には、４個の反射意匠１４１〜１４４のそれぞれが、４個の導光脚部３１０、３２０、３３０、３４０が接続されている部分である４個の接続部分のそれぞれと交互に環状に並んで配置されている。つまり、出射部３５０には、Ｚ軸方向から見た場合、４個の導光脚部３１０、３２０、３３０、３４０のそれぞれと、４個の反射意匠１４１〜１４４のそれぞれとが交互に、かつ、出射部３５０の中心からの角度が異なる位置に配置されている。なお、４個の反射意匠１４１〜１４４は、それぞれ、マスク体１１４による４個の透光意匠４１１〜４１４と重なる位置に配置されている。
【００６２】
また、出射部３５０には、中央に開口３９０が形成されている。開口３９０は、出射部３５０の４個の反射意匠１４１〜１４４が並ぶ環状の内方に配置されている。また、開口３９０は、具体的には、４個の反射意匠１４１〜１４４のうち環状の周方向に隣り合う２つの反射意匠の間の領域に配置される。
【００６３】
また、Ｚ軸方向から見て、出射部３５０の導光脚部３１０と接続されている接続部分３１４のＸ軸方向マイナス側の領域３５１には、反射意匠１４１が配置されている。また、Ｚ軸方向から見て、接続部分３１４のＹ軸方向プラス側の領域３５２には、反射意匠１４２が配置されている。
【００６４】
また、Ｚ軸方向から見て、出射部３５０の導光脚部３２０と接続されている接続部分３２４のＹ軸方向マイナス側の領域３５２には、反射意匠１４２が配置されている。また、Ｚ軸方向から見て、接続部分３２４のＸ軸方向マイナス側の領域３５３には、反射意匠１４３が配置されている。
【００６５】
また、Ｚ軸方向から見て、出射部３５０の導光脚部３３０と接続されている接続部分３３４のＸ軸方向プラス側の領域３５３には、反射意匠１４３が配置されている。また、Ｚ軸方向から見て、接続部分３３４のＹ軸方向マイナス側の領域３５４には、反射意匠１４４が配置されている。
【００６６】
また、Ｚ軸方向から見て、出射部３５０の導光脚部３４０と接続されている接続部分３４４のＹ軸方向プラス側の領域３５４には、反射意匠１４４が配置されている。また、Ｚ軸方向から見て、接続部分３４４のＸ軸方向プラス側の領域３５１には、反射意匠１４１が配置されている。
【００６７】
次に、導光脚部３１０、３２０、３３０、３４０の構成について説明する。
【００６８】
導光脚部３１０は、第１反射面３１２ａを有する第１部分３１２と、第２反射面３１３ａを有する第２部分３１３とを備える。第１部分３１２は、Ｚ軸方向から見て方向Ｄ１２（Ｘ軸方向プラス側）に交差する第１反射面３１２ａを有し、入光面３１１から入光された光源１６１の光の一部を第１反射面３１２ａに反射させることで、出射部３５０の領域３５１に導く部分である。第１部分３１２は、略板状の部分である。
【００６９】
第２部分３１３は、Ｚ軸方向から見て方向Ｄ１３に交差する第２反射面３１３ａを有し、入光面３１１から入光された光源１６１の光の他の一部を第２反射面３１３ａに反射させることで、出射部３５０の領域３５２に導く部分である。第２部分３１３は、略板状の部分である。
【００７０】
また、第１反射面３１２ａは、Ｙ軸方向において第２反射面３１３ａの反射意匠１４２側とは反対側に配置される。つまり、第１反射面３１２ａは、反射意匠１４２のＹ軸方向マイナス側に配置される。また、第２反射面３１３ａは、Ｘ軸方向において第１反射面３１２ａの反射意匠１４１側とは反対側に配置される。つまり、第２反射面３１３ａは、反射意匠１４１のＸ軸方向プラス側に配置される。
【００７１】
以上のことから、第１反射面３１２ａおよび第２反射面３１３ａは、Ｚ軸方向から見て異なる角度で配置され、導光脚部３１０が延びる方向で互いに交差している。よって、導光脚部３１０は、略板状の第１部分３１２および第２部分３１３が交差するため、ＸＹ平面に平行な面での断面が略Ｖ字の形状を有する。そして、導光脚部３１０は、Ｚ軸方向から見た場合、略Ｖ字形状の頂点が出射部３５０の中央の方向を向く姿勢で形成されている。
【００７２】
他の導光脚部３２０、３３０、３４０の構成は、出射部３５０に接続されている角度が各々略９０度ずつ異なるだけで同様である。このため、他の導光脚部３２０、３３０、３４０も導光脚部３１０と同様に、それぞれ、対応する光源１６２〜１６４により発光された光の一部を、対応する接続部分３２４、３３４、３４４に隣り合う２つの反射意匠の一方の反射意匠に反射する第１反射面と、上記光の他の一部を、他方の反射意匠に反射する第２反射面とを有する。なお、他の導光脚部３２０、３３０、３４０の具体的な構成の説明は省略する。
【００７３】
このように、４個の導光脚部３１０、３２０、３３０、３４０のそれぞれは、４個の反射意匠１４１〜１４４のそれぞれと交互に並んで配置されている。４個の反射意匠１４１〜１４４のそれぞれは、環状の周方向に並ぶ４個の導光脚部３１０、３２０、３３０、３４０のうちの隣り合う２個の導光脚部の一方により反射された光と、他方により反射された光とをＺ軸方向プラス側に反射する。
【００７４】
つまり、反射意匠１４１は、図９に示すように、導光脚部３１０によりＸ軸方向マイナス側に反射された光と、導光脚部３４０によりＸ軸方向プラス側に反射された光とをＺ軸方向プラス側に反射する。反射意匠１４２は、図８に示すように、導光脚部３１０によりＹ軸方向プラス側に反射された光と、導光脚部３２０によりＹ軸方向マイナス側に反射された光とをＺ軸方向プラス側に反射する。反射意匠１４３は、導光脚部３２０によりＸ軸方向マイナス側に反射された光と、導光脚部３３０によりＸ軸方向プラス側に反射された光とをＺ軸方向プラス側に反射する。反射意匠１４４は、導光脚部３３０によりＹ軸方向マイナス側に反射された光と、導光脚部３４０によりＹ軸方向プラス側に反射された光とをＺ軸方向プラス側に反射する。
【００７５】
なお、４個の反射意匠１４１〜１４４のそれぞれは、出射部３５０のＺ軸方向マイナス側に形成される図示しない複数の凹部により構成される。４個の反射意匠１４１〜１４４のそれぞれは、具体的には、対応する反射意匠の形状に配置された複数の凹部の集合により構成される。複数の凹部は、Ｚ軸方向プラス側に頂点を有し、底面がＺ軸方向マイナス側の空間に開放されている略円錐形状または略角錐形状を有する。
【００７６】
［１−４．制御回路］
図１０は、入力装置１００の回路構成の一例を示すブロック図である。
【００７７】
制御回路２１０は、２つの動作モードに応じて、４個のスイッチ１５１〜１５４による入力を切り替えて受け付ける。例えば、制御回路２１０は、第１動作モードとしてのメニュー選択モードと、第２動作モードとしての音楽プレイヤーモードとの２種類の動作モードで入力装置１００を動作させる。制御回路２１０は、所定の切り替え手段（例えば図示しない選択スイッチ）によって切り替えられた動作モードに応じて、４個のスイッチ１５１〜１５４が押圧されたときの入力を切り替える。所定の切り替え手段は、選択スイッチのオンオフの他に、音声認識、ジェスチャ認識など様々な切り替え手段が考えられる。
【００７８】
また、制御回路２１０は、動作モードに応じて、割り当てられる４個のスイッチ１５１〜１５４から出力される信号による入力と、光源１６１〜１６５、１７１〜１７５により発光する意匠とを対応づけている。例えば、第１動作モードにおいては、スイッチ１５１〜１５４は、メニューを選択するために選択されている項目を移動させるための十字キーとして機能する。また、第２動作モードにおいては、スイッチ１５１〜１５４は、音楽プレイヤーの曲送り、曲戻し、音量増加、音量減少、再生／停止などのキーとして機能する。
【００７９】
つまり、制御回路２１０は、動作モードに応じて、光源１６１〜１６５と光源１７１〜１７５とのいずれかを選択的に点灯させる。これにより、制御回路２１０は、第１動作モードでは、光源１６１〜１６５を点灯させることで反射意匠１４１〜１４４が表示されるようにし、第２動作モードでは、光源１７１〜１７５を点灯させることで透光意匠４１１〜４１４が表示されるように、光源１６１〜１６５、１７１〜１７５を制御している。
【００８０】
具体的には、制御回路２１０は、第１動作モードにおいて、光源１６１〜１６５を点灯させ、かつ、光源１７１〜１７５を消灯させ、第２動作モードにおいて、光源１７１〜１７５を点灯させ、かつ、光源１６１〜１６５を消灯させる。つまり、制御回路２１０は、動作モードが第１動作モードであるか第２動作モードであるかに応じて、光源１６１〜１６５が点灯しており、かつ、光源１７１〜１７５が消灯している第１状態と、光源１７１〜１７５が点灯しており、かつ、光源１６１〜１６５が消灯している第２状態とのいずれかに選択的に遷移する。このように、制御回路２１０は、表示させている意匠が反射意匠１４１〜１４４であるか、または透光意匠４１１〜４１４であるかに応じて、押圧により各スイッチ１５１〜１５４から出力される信号を異なる入力として受け付ける。
【００８１】
なお、上記の例では、制御回路２１０は、表示させている意匠が反射意匠１４１〜１４４であるか、または透光意匠４１１〜４１４であるかに応じて、各スイッチ１５１〜１５４から出力される信号を異なる入力として受け付けるとしたが、これの代わりに、各スイッチ１５１〜１５４から出力される信号そのものを異ならせてもよい。つまり、各スイッチ１５１〜１５４は、表示させている意匠が反射意匠１４１〜１４４であるか、または透光意匠４１１〜４１４であるかに応じて異なる信号を出力してもよい。この場合に各スイッチ１５１〜１５４は、例えば、第１動作モードでは第１の電圧の信号を出力し、第２動作モードでは第１の電圧とは異なる第２の電圧の信号を出力することで、異なる信号を出力してもよい。
【００８２】
［１−５．効果など］
本実施の形態に係る入力装置１００では、例えば導光脚部３１０により、出射部３５０の異なる位置に配置されている反射意匠１４１および反射意匠１４２のそれぞれに光源１６１の光を導くことができる。つまり、導光脚部３１０は、光源１６１の光を、第１部分３１２および第２部分３１３のそれぞれに分けて、２つに分けた光を反射意匠１４１および反射意匠１４２のそれぞれに導くため、２個の反射意匠１４１、１４２を効果的に表示することができる。よって、２個の反射意匠１４１、１４２を表示するのに要する消費エネルギーを低減できる。
【００８３】
また、入力装置１００では、出射部３５０には、領域３５１と、領域３５２との間に開口３９０が配置されている。このため、領域３５１の領域３５２側には、反射面が形成されており、かつ、領域３５２の領域３５１側には、反射面が形成されている。よって、入光面３１１から領域３５１への光、及び、入光面３１１から領域３５２への光を効率よく導くことができる。また、さまざまな角度から反射意匠１４１、１４２へ光を導くことができるため、表示ムラを低減できる。
【００８４】
また、第１反射面３１２ａは、反射意匠１４２のＹ軸方向マイナス側に配置され、第２反射面３１３ａは、反射意匠１４１のＸ軸方向プラス側に配置されている。このため、反射意匠１４１へ導く光の光路と、反射意匠１４２へ導く光の光路とをそれぞれ独立した光路とすることができる。よって、それぞれの光路において導光効率のよい形状の光路を形成することが容易にでき、反射意匠１４１および反射意匠１４２を効果的に表示することができる。
【００８５】
また、導光体１１３は、導光脚部３１０の反射意匠１４２を挟んで反対側に導光脚部３２０を有する。このため、１個の反射意匠１４２に対して２つの方向から光を導くことができるため、反射意匠１４２の表示ムラを低減することができる。また、導光体１１３は、他の反射意匠１４１、１４３および１４４に対しても同様の構造を有するため、反射意匠１４１、１４３および１４４の表示ムラを低減することができる。
【００８６】
また、導光体１１３は、上記の構成において、環状に並んで配置される４個の光源１６１〜１６４と、４個の光源１６１〜１６４に対向して配置される４個の導光脚部３１０、３２０、３３０、３４０と、４個の導光脚部３１０、３２０、３３０、３４０と交互に環状に並んで配置される４個の反射意匠１４１〜１４４を有する出射部３５０とを備える。このため、４個の反射意匠１４１〜１４４のそれぞれに対して２つの方向から光を導くことができ、光源を反射意匠の数と同じ数とすることができる。よって、反射意匠１４１〜１４４の表示ムラを低減でき、かつ、消費エネルギーを低減できる。
【００８７】
また、出射部３５０には、４個の反射意匠１４１〜１４４が並ぶ環状の内方に開口３９０が配置されている。このため、４個の反射意匠１４１〜１４４のそれぞれに光を反射する反射面を形成することができる。よって、４個の反射意匠１４１〜１４４のそれぞれに効率よく光を導くことができる。また、さまざまな角度から４個の反射意匠１４１〜１４４のそれぞれへ光を導くことができるため、表示ムラを低減できる。
【００８８】
また、入力装置１００は、マスク体１１４と、光源１７１〜１７４と、制御回路２１０とを備える。マスク体１１４は、出射部３５０に対向しており、透光意匠４１１〜４１４の形状の透光部分で光を透光し、かつ、透光部分を除く遮光部分で光を遮光する。光源１７１〜１７４は、マスク体１１４に向けてＺ軸方向マイナス側から光を照射する。制御回路２１０は、光源１６１〜１６４と光源１７１〜１７４とを選択的に発光させる。このため、入力装置１００は、反射意匠１４１〜１４４と、透光意匠４１１〜４１４とを選択的に切り替えて表示することが容易にできる。
【００８９】
また、入力装置１００において、出射部３５０に配置されている反射意匠１４１〜１４４と、マスク体１１４に配置されている透光意匠４１１〜４１４とは、重なって配置されている。このため、複数の異なる意匠を表示させる構成をコンパクトな構成で実現することができる。
【００９０】
また、入力装置１００は、導光体１１３に配置されている反射意匠１４１〜１４４またはマスク体１１４に配置されている透光意匠４１１〜４１４への押圧に応じて信号を出力するスイッチ１５１〜１５４と、を備える。このため、各意匠により示される入力を受け付けるための入力装置１００として実現することができる。
【００９１】
また、入力装置１００において、複数のスイッチ１５１〜１５４は、それぞれ、導光体１１３に配置されている複数の反射意匠１４１〜１４４またはマスク体１１４に配置されている複数の透光意匠４１１〜４１４に対応しており、対応する反射意匠１４１〜１４４または透光意匠４１１〜４１４への押圧に応じて異なる信号を出力する。このため、異なる意匠が選択的に表示されている場合、入力装置１００は、表示されている意匠に対応する信号を出力することができる。つまり、１つのスイッチの機能を切り替えることができるため、構成をコンパクトにすることができる。
【００９２】
［１−６．変形例］
［１−６−１．変形例１］
上記実施の形態では、スイッチ１５１〜１５５を有する入力装置１００としたが、スイッチ１５１〜１５５を有さずに、反射意匠１４１〜１４４または透光意匠４１１〜４１４を選択的に表示させる表示装置として実現してもよい。また、表示装置は、マスク体１１４および光源１７１〜１７４を備えていなくてもよく、反射意匠１４１〜１４４を表示させる装置として実現してもよい。
【００９３】
［１−６−２．変形例２］
上記実施の形態の入力装置１００は、反射意匠１４１または透光意匠４１１〜４１４を選択的に表示させるとしたが、マスク体１１４および光源１７１〜１７４を備えていなくてもよく、反射意匠１４１〜１４４を表示させ、対応するスイッチ１５１〜１５４への入力を受け付ける入力装置として実現してもよい。
【００９４】
［１−６−３．変形例３］
上記実施の形態において、導光体１１３は、４個の導光脚部３１０、３２０、３３０、３４０を有し、出射部３５０には４個の反射意匠１４１〜１４１が配置されている構成としたが、これに限らない。導光体は、導光体１１３のうちの１個の導光脚部３１０と、２個の反射意匠１４１、１４２が配置されている出射部３５０の一部のみを有する構成としてもよい。この構成でも、１個の光源からの光を２個の反射意匠１４１、１４２に分けることができるという効果が奏される。
【００９５】
また、導光体は、導光体１１３のうちの２個の導光脚部３１０、３２０と２個の反射意匠１４１、１４２が配置されている出射部３５０の一部のみを有する構成としてもよい。この構成では、反射意匠１４２に２個の導光脚部３１０、３２０からの光を導くことができるため、表示ムラを軽減できる。
【００９６】
［１−６−４．変形例４］
上記実施の形態において、導光脚部３１０の第１反射面３１２ａおよび第２反射面３１３ａは、互いに交差する面であるとしたが、これに限らずに、互いに交差しない１つの面を構成していてもよい。例えば、Ｚ軸方向から見て、Ｘ軸方向およびＹ軸方向に対して４５度に傾いた面によって構成されていてもよい。この場合、当該面を正面から見て第１意匠側の一部が第１反射面となり、第２意匠側の一部が第２反射面となる。
【００９７】
［１−６−５．変形例５］
上記実施の形態において、導光体１１３の出射部３５０は、開口３９０を有するとしたが、開口３９０を有しなくてもよい。
【００９８】
［１−６−６．変形例６］
上記実施の形態において、導光体１１３の出射部３５０に配置されている反射意匠１４１〜１４４と、マスク体１１４に配置されている透光意匠４１１〜４１４とは互いに重なって配置されているとしたが、互いに重なって配置されていなくてもよい。
【００９９】
［１−６−７．変形例７］
上記実施の形態において、マスク体１１４は、複数のマスク部材４０１〜４０４により構成されるとしたが、これに限らずに、一体化されたマスク部材により構成されていてもよい。つまり、１つのマスク部材に複数の透光意匠４１１〜４１４が配置されている構成であってもよい。
【０１００】
以上、本発明の一つまたは複数の態様に係る表示装置および入力装置について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の一つまたは複数の態様の範囲内に含まれてもよい。
【産業上の利用可能性】
【０１０１】
本開示は、単純な構成で、複数の意匠を効果的に表示することができる表示装置、入力装置などとして有用である。
【符号の説明】
【０１０２】
２  ステアリング入力装置
４  自動車
６  車載機器
８  ステアリングホイール
１２  リム
１４  スポーク
１６  ホーンスイッチカバー
１８  指
２０  ダッシュボード
１００  入力装置
１１１  筐体
１１２  第１操作部
１１３  導光体
１１４  マスク体
１１５  第１支持部
１１６  軸体
１１７  第２操作部
１１８  第２支持部
１１９  基板
１２５〜１２８  部位
１５１〜１５５  スイッチ
１６１〜１６５、１７１〜１７５  光源
２１０  制御回路
４０１〜４０４  マスク部材
４１１〜４１４  透光意匠
３１０、３２０、３３０、３４０  導光脚部
３１１、３２１、３３１、３４１  入光面
３１２  第１部分
３１２ａ  第１反射面
３１３  第２部分
３１３ａ  第２反射面
３１４、３２４、３３４、３４４  接続部分
３５０  出射部
３５１〜３５４  領域
【図１】
2019086568.tif 000003
【図２】
2019086568.tif 000004
【図３】
2019086568.tif 000005
【図４】
2019086568.tif 000006
【図５】
2019086568.tif 000007
【図６】
2019086568.tif 000008
【図７】
2019086568.tif 000009
【図８】
2019086568.tif 000010
【図９】
2019086568.tif 000011
【図１０】
2019086568.tif 000012
【手続補正書】
【提出日】平成31年2月15日(2019.2.15)
【手続補正１】
【補正対象書類名】明細書
【補正対象項目名】００５７
【補正方法】変更
【補正の内容】
【００５７】
なお、第１操作部１１２は、透光性を有する材料により構成されており、例えば、樹脂により構成されている。第１操作部１１２は、スモークに着色されていることが好ましい。これにより、基板１１９に実装されている光源１６１〜１６４または光源１７１〜１７４が発光している場合には、導光体１１３に形成されている反射意匠１４１〜１４４が発光している光または透光意匠４１１〜４１４が透過している光をＺ軸方向プラス側に出射させることができ、当該光源１６１〜１６４または当該光源１７１〜１７４が発光していない場合には、内部の部品が運転者によって視認される可能性を低減させることができる。 
【手続補正２】
【補正対象書類名】明細書
【補正対象項目名】００６８
【補正方法】変更
【補正の内容】
【００６８】
導光脚部３１０は、第１反射面３１２ａを有する第１部分３１２と、第２反射面３１３ａを有する第２部分３１３とを備える。第１部分３１２は、Ｚ軸方向から見て方向Ｄ１２（つまり、Ｘ軸マイナス方向であり、第２方向に対応）に交差する第１反射面３１２ａを有し、入光面３１１から入光された光源１６１の光の一部を第１反射面３１２ａに反射させることで、出射部３５０の領域３５１に導く部分である。第１部分３１２は、略板状の部分である。 
【手続補正３】
【補正対象書類名】明細書
【補正対象項目名】００６９
【補正方法】変更
【補正の内容】
【００６９】
第２部分３１３は、Ｚ軸方向から見て方向Ｄ１３（Ｙ軸プラス方向であり、第３方向に対応）に交差する第２反射面３１３ａを有し、入光面３１１から入光された光源１６１の光の他の一部を第２反射面３１３ａに反射させることで、出射部３５０の領域３５２に導く部分である。第２部分３１３は、略板状の部分である。 
【手続補正４】
【補正対象書類名】明細書
【補正対象項目名】００７８
【補正方法】変更
【補正の内容】
【００７８】
また、制御回路２１０は、動作モードに応じて、割り当てられる４個のスイッチ１５１〜１５４から出力される信号による入力と、光源１６１〜１６４、１７１〜１７４により発光する意匠とを対応づけている。例えば、第１動作モードにおいては、スイッチ１５１〜１５４は、メニューを選択するために選択されている項目を移動させるための十字キーとして機能する。また、第２動作モードにおいては、スイッチ１５１〜１５４は、音楽プレイヤーの曲送り、曲戻し、音量増加、音量減少、再生／停止などのキーとして機能する。 
【手続補正５】
【補正対象書類名】明細書
【補正対象項目名】００７９
【補正方法】変更
【補正の内容】
【００７９】
つまり、制御回路２１０は、動作モードに応じて、光源１６１〜１６４と光源１７１〜１７４とのいずれかを選択的に点灯させる。これにより、制御回路２１０は、第１動作モードでは、光源１６１〜１６４を点灯させることで反射意匠１４１〜１４４が表示されるようにし、第２動作モードでは、光源１７１〜１７４を点灯させることで透光意匠４１１〜４１４が表示されるように、光源１６１〜１６４、１７１〜１７４を制御している。 
【手続補正６】
【補正対象書類名】明細書
【補正対象項目名】００８０
【補正方法】変更
【補正の内容】
【００８０】
具体的には、制御回路２１０は、第１動作モードにおいて、光源１６１〜１６４を点灯させ、かつ、光源１７１〜１７４を消灯させ、第２動作モードにおいて、光源１７１〜１７４を点灯させ、かつ、光源１６１〜１６４を消灯させる。つまり、制御回路２１０は、動作モードが第１動作モードであるか第２動作モードであるかに応じて、光源１６１〜１６４が点灯しており、かつ、光源１７１〜１７４が消灯している第１状態と、光源１７１〜１７４が点灯しており、かつ、光源１６１〜１６４が消灯している第２状態とのいずれかに選択的に遷移する。このように、制御回路２１０は、表示させている意匠が反射意匠１４１〜１４４であるか、または透光意匠４１１〜４１４であるかに応じて、押圧により各スイッチ１５１〜１５４から出力される信号を異なる入力として受け付ける。 
【手続補正７】
【補正対象書類名】明細書
【補正対象項目名】００９３
【補正方法】変更
【補正の内容】
【００９３】
［１−６−２．変形例２］
上記実施の形態の入力装置１００は、反射意匠１４１〜１４４または透光意匠４１１〜４１４を選択的に表示させるとしたが、マスク体１１４および光源１７１〜１７４を備えていなくてもよく、反射意匠１４１〜１４４を表示させ、対応するスイッチ１５１〜１５４への入力を受け付ける入力装置として実現してもよい。 
【手続補正８】
【補正対象書類名】明細書
【補正対象項目名】００９４
【補正方法】変更
【補正の内容】
【００９４】
［１−６−３．変形例３］
上記実施の形態において、導光体１１３は、４個の導光脚部３１０、３２０、３３０、３４０を有し、出射部３５０には４個の反射意匠１４１〜１４４が配置されている構成としたが、これに限らない。導光体は、導光体１１３のうちの１個の導光脚部３１０と、２個の反射意匠１４１、１４２が配置されている出射部３５０の一部のみを有する構成としてもよい。この構成でも、１個の光源からの光を２個の反射意匠１４１、１４２に分けることができるという効果が奏される。